(57)【要約】【課題】  原材料メーカや処理プロセスで使用される装置のメーカが物質構成テーブルや装置特性テーブルのデータベースにそれらのメーカの製品の情報を登録しやすくする。【解決手段】  処理プロセスに投入される材料を構成する物質の成分情報を記憶する物質構成テーブル２０３と、処理プロセスにおいて使用される装置について、該装置に投入される材料と、該装置から排出される化学物質の排出移動先毎の排出移動量の割合との関係を記憶する装置特性テーブル２０４とを有し、利用者１０３から処理プロセスで使用される装置（処理手順）と投入される材料の情報を得て、化学物質の排出移動先毎の排出移動量を計算する手段２０６，２０７，２０８を有し、利用者１０３には、物質構成テーブルの内容及び装置特性テーブルの内容を非開示とし、排出移動量の計算結果のみを開示する。【選択図】図２
2005134943.tif 000002
【特許請求の範囲】
【請求項１】
処理プロセスに投入される材料を構成する物質の成分情報を記憶する物質構成テーブルと、
前記処理プロセスにおいて使用される装置について、該装置に投入される材料と、該装置から排出される化学物質の排出移動先毎の排出移動量の割合との関係を記憶する装置特性テーブルと、
利用者端末から前記処理プロセスで使用される装置と投入される材料の情報を得て、該情報に基づき、投入された材料を構成する物質の成分情報を前記物質構成テーブルから得、排出される化学物質の排出移動先毎の排出移動量の割合を前記装置特性テーブルから得て、化学物質の排出移動先毎の排出移動量を計算する手段と、
前記利用者端末に化学物質の排出移動先毎の排出量の計算結果を出力する手段とを有し、
前記利用者端末には、前記物質構成テーブルの内容及び前記装置特性テーブルの内容を非開示としたことを特徴とする化学物質排出量計算システム。
【請求項２】
請求項１において、前記計算する手段は、前記利用者端末から連続した複数の処理プロセスで使用される装置の情報と投入される材料の情報が入力されるように構成され、前記複数の処理プロセスは、先の処理プロセスで製造される化学物質が後の処理プロセスに材料として投入されるようになっており、先の処理プロセスでの排出移動量の計算結果を後の処理プロセスに投入される化学物質の情報として利用し、後の処理プロセスにおける排出移動先毎の排出移動量を計算するようにしたことを特徴とする化学物質排出移動量計算システム。
【発明の詳細な説明】
【技術分野】
【０００１】
本発明は、化学物質排出量計算システムに関する。
【背景技術】
【０００２】
近年、環境問題に対する取り組みは国際的な広がりを見せており、日本でも特定化学物質の環境への排出量の把握等および管理の改善を促進に関する法律（ＰＲＴＲ）が定められた。これは国全体における特定化学物質の排出量を把握するための基礎データの１つとして、一定基準を満たす事業者については、その事業所における特定化学物質の排出，移動量について届出を義務付けるものである。
【０００３】
しかし、大気中、水中などに排出される化学物質について、それぞれの量を正確に計測するためには、大変な手間とコストを要する。
【０００４】
この解決策として、特許文献１に記載のように、プロセスに投入される材料取扱量をその材料に含まれる化学物質の量に換算し、この換算した化学物質の量と予め決めたプロセス毎の化学物質の排出移動先毎の排出割合（排出係数）とから排出移動先毎の化学物質の排出移動量を求めるようにしたものがある。このシステムでは、投入される材料に含まれる化学物質についての材料組成データベースと、プロセスにおける化学物質の排出割合についての排出係数データベースとを有している。また、これらのデータベースを広域ネットワーク網を介して化学物質を管理する企業にアクセス可能にしている。
【０００５】
【特許文献１】特開２０００−３３１５５８号公報
【発明の開示】
【発明が解決しようとする課題】
【０００６】
しかし、特許文献１ではデータベースの情報を利用する形態についてのみ述べられており、それらの情報を所有するメーカなどに配慮することで、その登録を促進する方法については述べられていない。
【０００７】
製品に含まれる物質の構成割合がその製品の企業秘密にかかわっている場合や、気温や原材料の種類により排出される化学物質の量が変わる関係については、その装置に関わる特性を教えている場合などが考えられる。このような場合にその製品，装置の情報を登録する可能性は非常に低いと考えられる。
【０００８】
本発明の目的は、原材料の製造メーカや処理プロセスで用いられる装置のメーカがデータベースに製品等の情報を登録しやすくするように登録を推進するようにすることにある。
【課題を解決するための手段】
【０００９】
前記目的を達成するため本発明では、処理プロセスに投入される材料を構成する物質の成分情報を記憶する物質構成テーブルと、前記処理プロセスにおいて使用される装置について、該装置に投入される材料と、該装置から排出される化学物質の排出移動先毎の排出移動量の割合との関係を記憶する装置特性テーブルと、利用者端末から前記処理プロセスで使用される装置と投入される材料の情報を得て、該情報に基づき、投入された材料を構成する物質の成分情報を前記物質構成テーブルから得、排出される化学物質の排出移動先毎の排出移動量の割合を前記装置特性テーブルから得て、化学物質の排出移動先毎の排出移動量を計算する手段と、前記利用者端末に化学物質の排出移動先毎の排出量の計算結果を出力する手段とを有し、前記利用者端末には、前記物質構成テーブルの内容及び前記装置特性テーブルの内容を非開示としたことを特徴とする。
【００１０】
また、前記計算する手段は、前記利用者端末から連続した複数の処理プロセスで使用される装置の情報と投入される材料の情報が入力されるように構成され、前記複数の処理プロセスは、先の処理プロセスで製造される化学物質が後の処理プロセスに材料として投入されるようになっており、先の処理プロセスでの排出移動量の計算結果を後の処理プロセスに投入される化学物質の情報として利用し、後の処理プロセスにおける排出移動先毎の排出移動量を計算するようにしたことを特徴とする。
【００１１】
更に具体的には、コンピュータのデータベースを用いて、原材料，製品などを構成する物質の成分情報を記録する物質構成テーブルと、特定の処理プロセスにおいて使用する器具，装置などに固有の機器情報と、原材料，製品などを構成する物質の成分情報と、使用する器具，装置を処理プロセスに適用するにあたり調整を行った設定情報と、製造時における所要時間，気温などの動作情報など（以下これを特定の処理プロセスにおける“稼動条件”と総称する）を基に、その際発生する大気，水域，土壌などへの化学物質排出量と、作成した製品を構成する物質の成分とを算出する手段を記録する装置特性テーブルとを備え、算出を行う利用者が使用する原材料，製品と、製品を作るのに必要な稼動条件を入力する端末装置、もしくはネットワークを介して入力できるシステムと、利用者が入力した情報と、物質構成テーブル，装置特性テーブルの情報を用いて、処理プロセスにおける化学物質排出量，製品に含まれる化学物質の成分の算出する装置と、算出結果を利用者へ提供する端末装置、もしくはネットワークを介して利用者が参照できるシステムとで構成される化学物質排出量計算システムにおいて、利用者が端末装置、またはシステムにおいて入力する情報のうち、物質構成テーブルに登録されている情報については、その物質名を選択することにより取得可能とし、利用者が直接物質構成テーブル内の物質の成分情報を参照する必要のない方式で入力を行う事が可能な方式とし、また算出結果を利用者へ提供する装置、もしくはシステムで出力する情報については、化学物質の排出量を出力するが稼動条件や使用した物質の成分などの関係については出力しない方式とすることで物質構成テーブルに登録されている個々の物質の成分情報がそのまま出力されない方式とすることで、物質構成テーブルに登録された情報のセキュリティが増し、物質構成テーブルに登録されている情報を管理する原材料，製品などのメーカの者が安心して精度の高い情報を登録出来るようにしたものである。
【００１２】
また、利用者が端末装置、またはシステムにおいて入力する情報のうち、装置特性テーブルに登録されている成分情報は物質構成テーブルより取得する方法とし、機器情報についてはその器具，装置名についてのみ指定する方法とし、設定情報，動作情報は、数値化された単純な情報のみ指定する方法とすることで、装置特性テーブル内の登録情報を参照する必要をない方式で入力を行う事が可能な方式とし、また算出結果を利用者へ提供する装置、もしくはシステムで出力する情報については化学物質の排出量のみを出力し、稼動条件に基づく各入力情報と出力情報との因果関係や、装置特性テーブルに登録されている個々の情報がそのまま出力されない方式とすることで、装置特性テーブルに登録された情報のセキュリティが増し、装置特性テーブルに登録されている情報を管理する器具，装置などのメーカの者が安心して精度の高い情報を登録出来るようにしたものである。
【００１３】
また、複数の処理プロセスを組み合わせることにより、ある製品を作成する製造プロセスの、組み合わせる手順，方法などのワークフロー情報を入力する端末装置、もしくはネットワークを介して入力できるシステムと、利用者が入力したワークフロー情報を用いて、各処理プロセスにおける化学物質排出量，製品に含まれる化学物質の成分の算出した結果を次の処理プロセスの原材料情報として利用することにより製造プロセス全体の化学物質排出量，製品に含まれる化学物質の成分の算出する装置と、製造プロセス全体の算出結果をまとめて利用者へ提供する端末装置もしくはネットワークを介して利用者が参照できるシステムを具備することにより、利用者がシステムに行う入力手続きの簡素化と、製造プロセス全体の算出結果を出力することで、処理プロセスごとの稼動条件に基づく各入力情報と出力情報との因果関係を確認することができなくなるため、物質構成テーブル，装置特性テーブルに登録されている個々の情報に対してセキュリティを増すことができるようにしたものである。
【００１４】
また、出力される算出結果の全部または一部について、利用者には判別不可能な暗号化処理を行った情報で出力し、事業者が化学物質排出量を報告する行政庁において、その暗号化された情報を複合化できる機能を有することにより、物質構成テーブル，装置特性テーブルに登録されている情報を知ることを目的とする利用者を排除することが可能であり、また物質構成テーブル，装置特性テーブルに登録されている個々の情報に対してセキュリティを増すことができ、化学物質排出量の報告は出力された電子情報をそのまま申請することで可能であるようにしたものである。
【００１５】
また、利用者が端末装置、もしくはネットワークを介したシステムより入力した情報と、化学物質排出量の算出後、利用者が端末装置、もしくはネットワークを介したシステムより取得する情報に対して、その利用者のみ参照できるように情報のセキュリティを高めることにより、利用促進するようにしたものである。
【発明を実施するための最良の形態】
【００１６】
本発明の一実施例を図面に従って詳細に説明する。
【００１７】
図１は化学物質排出量計算システムの構成図を示す。本システムでは化学物質排出量計算システム（サーバ）１０１と情報提供者１０２，利用者（届出事業者）１０３との間は、インターネット網１０４を介して結ばれている。情報提供者は、入力装置により化学物質の排出量算出に必要な物質に含まれる成分の割合や、装置を稼動させることにより排出，移動する化学物質の情報を、データベース１０６へ登録する。利用者（届出事業者）
１０３は、入力装置により化学物質の排出量を計測したい処理過程，原材料について情報をサーバ１０１へ提供することにより、サーバ１０１ではデータベース１０６に登録されている情報を利用してその事業所で排出される化学物質の量を算出する。そして、算出結果は利用者（届出事業者）１０３の表示装置より確認できる。
【００１８】
サーバ１０１とインターネット１０４の接続個所にファイアウォール１０７を設置することで、不正な侵入者からのアクセスを遮断している。
【００１９】
データの入力，表示には、サーバ１０１にあるＷＥＢサーバ、ならびにＤＢＭＳ（データベース  マネージメント  システム）１０５によりブラウザからの操作で行う。
【００２０】
まず情報提供者１０２は各事業所等にあるインターネット網１０４に接続可能なコンピュータより、ＷＥＢサーバ１０５のドメインへアクセスする、そしてＷＥＢサーバより提供されるＨＴＭＬならびにＪａｖａ（登録商標）スクリプトによりブラウザから操作することで、データベース１０６に情報を登録できる。
【００２１】
そして、利用者（届出事業者）１０３についても、同様にインターネット１０４に接続可能なコンピュータより、ＷＥＢサーバ１０５のドメインへアクセスする、そしてＷＥＢサーバより提供されるＨＴＭＬならびにＪａｖａ（登録商標）スクリプトによりブラウザから操作することで、算出機能１０５が求めた化学物質排出量の情報を参照できる。
【００２２】
図２に化学物質排出量計算システムの処理概要を示す。情報提供者１０２は入力装置により、原材料，製品に含まれる物質の構成割合の情報２０１は、化学物質排出量計算システム１０１にある物質構成テーブル２０３へ登録する。同様に、製造過程における装置，器具を使用した場合に排出，移動する化学物質の情報２０２は、化学物質排出量計算システム１０１にある装置特性テーブル２０４へ登録する。
【００２３】
そして、利用者（届出事業者）１０３は入力装置により、使用する原材料の情報（製造メーカ，重量など）と、製造における処理手順２０５を、化学物質排出量計算システム
１０１へ算出条件２０６として入力する。
【００２４】
化学物質排出量計算システム１０１では、入力された算出条件２０６の原材料の情報より物質構成テーブル２０３に登録されている情報を用いて、原材料に含まれている各物質の量を２０７において算出する。原材料に含まれる物質量より、それを使用して処理を行った場合に排出，移動する化学物質の量を、装置特性テーブル２０４に登録されている情報を利用して２０８において算出する。
【００２５】
算出結果２０９では、すべての処理における化学物質の排出量を合計した値を、利用者（届出事業者）１０３の表示装置２１０へ出力する。
【００２６】
図３は、物質構成テーブル２０３のテーブルレイアウトである。物質名３０１には物質の構成割合を登録する原材料，製品などの名前を登録する。製造者名３０２には、情報を登録したメーカの名称を登録する。これは、物質名３０１が同じ場合に、どこのメーカで製造されたかを区別することを可能とする。構成物質名３０３は物質名３０１に含まれている構成物質のうちの１つを登録する。構成物質が複数存在する場合には、複数のレコードに分けて登録する。構成割合３０４は、構成物質名３０３が物質名３０１の中にいくら含まれているのかを％で登録する。
【００２７】
図４は、装置特性テーブル２０４のテーブルレイアウトである。装置名４０１，４１１,４２１には、情報を登録する器具，装置などの名称を登録する。登録者名４０２,４１２，４２２には、情報を登録したメーカの名称を登録する。これは、装置名４０１，４１１，４２１が同じ場合に、どこのメーカで製造されたかを区別することを可能とする。材料名４０３には、使用する原材料，製品の名称を登録する。物質名４０４には、その原材料，製品に含まれている物質のうち、化学物質の排出量計算に必要な物質の名称を登録する。整理番号４０５には、一連の番号を付加する。これは出力成分情報テーブルの機器情報４１５に登録する情報において、どの入力物質により出力物質の量が定まるのかを規定するのに使用する。物質名４１３には、排出される化学物質の名称を登録する。排出先414には、排出先４３１で示す排出先の番号を登録する。機器情報４１５には、原材料物質の構成割合や、装置の稼動条件などのパラメータを与えることにより排出量を求める計算式が登録される。工程４２３，業種４２４には、装置名４２１の種類を登録する。更新日
４２５には、この情報を登録した年月日を登録する。
【００２８】
以下、図２の処理に従い利用者が化学物質の排出量を取得するまでを事例に沿って説明します。
【００２９】
情報提供者１０２が入力装置を用いて原材料，製品に含まれる物質の構成割合の情報
２０１を物質構成テーブル２０３へ登録する場合、図５に示す画面により情報を登録する。
【００３０】
物質名５０１には物質の構成割合を登録する原材料，製品の名称を入力する。これは物質構成テーブル２０３の物質名３０１に登録される。製造者名５０２には情報を登録したメーカの名称を入力する。これは物質構成テーブル２０３の製造者名３０２に登録される。構成物質の５０３には構成物質の名称を入力またはプルダウンメニューなどから該当する構成物質の名称を選択する。これは物質構成テーブル２０３の構成物質名３０３に登録される。５０４にはその構成物質が含まれている割合を％で入力する。これは物質構成テーブル２０３の構成割合３０４に登録される。合計５０５が１００％であることを確認したあと、ＯＫボタン５０６を押すことで、入力情報が物質構成テーブル２０３へ登録される。また、製造者の名称を登録する機能を有する場合には、製造者選択ボタン５０８を押すことにより、製造者名が選択可能とする。
【００３１】
同様に情報提供者１０２が入力装置を用いて製造過程における装置，器具を使用した場合に排出，移動する化学物質の情報２０２を装置特性テーブル２０４へ登録する場合、図６に示す画面により情報を登録する。
【００３２】
装置名６０１には情報を登録する器具，装置などの名称を入力する。これは装置特性テーブル２０４の装置名４０１，４１１，４２１に登録される。登録者名６０２には情報を登録したメーカの名称を入力する。これは装置特性テーブル２０４の登録者名４０２，
４１２，４２２に登録される。工程６０３には登録する情報が分類される工程名称を入力する。これは装置特性テーブル２０４の工程４２３に登録される。業種６０４には登録する情報が分類される業種名称を入力する。これは装置特性テーブル２０４の業種４２４に登録される。
【００３３】
入力物質の６０５には製造過程において必要な原材料，製品の名称を入力またはプルダウンメニューなどから該当する構成物質の名称を選択する。これは装置特性テーブル204の材料名４０３に登録される。６０６には原材料，製品に含まれている構成物質のうち、化学物質の排出量計算に必要な物質名称を入力またはプルダウンメニューなどから該当する物質情報の名称を選択する。これは装置特性テーブル２０４の物質名４０４に登録される。
【００３４】
出力物質の６０７には製造過程において化学物質が含まれている製品などの名称または化学物質が排出される大気などの場所を入力またはプルダウンメニューなどから該当する名称や場所を選択する。これは装置特性テーブル２０４の排出先４１４に登録される。
６０８には製造過程において移動，排出される化学物質の名称を入力またはプルダウンメニューなどから該当する名称を選択する。これは装置特性テーブル２０４の物質名４１３に登録される。
【００３５】
機器情報６０９には出力物質６０７，６０８に登録した各排出量を、入力物質６０５，６０６や環境条件６１５から計算するための関係を表した数式を登録する。これは装置特性テーブル２０４の機器情報４１５に登録される。環境条件６１５には装置，器具を使用する環境により化学物質の排出量が変わる条件を登録する。
【００３６】
また、登録者名６０２，工程６０３，業種６０４の名称を登録する機能を有する場合には、それぞれ登録者選択ボタン６１２，工程選択ボタン６１３，業種選択ボタン６１４を押すことにより、名称が選択可能とする。
【００３７】
次に、利用者（届出事業者）１０３が、使用する原材料の情報(製造メーカ，重量など)と、製造における処理手順２０５を計算条件２０６として入力する方法として、図７に示す入力画面により情報を登録する。
【００３８】
利用者名７０１には、化学物質排出量計算システム１０１の利用者として登録されている名称を入力する。処理順序７０２には、化学物質の排出量を算出する処理の過程を指定する。図７の例では、処理Ｘ７０３と処理Ｙ７０４を続けて行うことを指定している。そして原材料Ａ１７０５，原材料Ａ２７０６，原材料Ｂ１７０７は、処理Ｘ７０３と処理
Ｙ７０４の装置特性テーブルの情報より必要な入力物質がわかるので、それを表示したものである。
【００３９】
入力物質７０９，７１０，７１１ではこれら原材料の情報を入力する。物質名称７０９とメーカ名７１０は物質構成テーブルに登録されている情報のうち、原材料として使用できる物質が抽出されているので、その中からプルダウンメニューなどより使用している原材料を選択する。そして使用量７１１を入力する。環境条件７１２，７１３，７１４では使用する処理において化学物質の排出量に影響する環境条件が装置名７１２と条件７１３が表示されるので、その状態を７１４に入力する。
【００４０】
これらの入力情報を確認後、ＯＫボタン７１５を押した場合、化学物質排出量計算システム１０１において化学物質の排出量を算出する。
【００４１】
また、利用者の名称を選択する機能を有する場合には、利用者選択ボタン７１７を押すことにより、利用者が選択可能とする。
【００４２】
次に、化学物質排出量計算システム１０１における化学物質排出量を求める処理概要について、図８に従い説明する。
【００４３】
利用者（届出事業者）１０３が入力した算出条件２０６は、入力情報８０１のように表せる。７０３〜７０５は処理順序７０２で、８０４〜８０６の物質情報は入力物質７０８〜７１０で、８０７は環境条件７１１，７１２で指定した内容である。
【００４４】
まず、物質構成テーブル２０３の情報より、原材料の構成物質８１１〜８１３を取得する。そして、処理Ｘ７０３では、装置特性テーブル２０４に登録されている情報と、入力物質８１１，８１２の情報、そして環境条件８０７より、出力される物質８１４と、排出される化学物質８１５を算出する。同様に処理Ｙ７０４においても、出力される製品Ｄの情報８１６と、排出される化学物質８１７を算出する。
【００４５】
そして、これらの情報のうち、化学物質排出量の届出に必要となる、製品Ｄに含まれる化学物質の移動量８１６と、処理の過程における化学物質の全排出量８２１を算出結果
２０９として出力する。
【００４６】
算出結果２０９の内容より、原材料の構成物質情報８１１〜８１３や、処理Ｘ７０３，処理Ｙ７０４における装置特性などを知ることは困難となるため、物質構成テーブル203，装置特性テーブル２０４の登録情報を守ることが可能となる。
【００４７】
次にサーバ内における各処理毎の化学物質排出量計算の概要について説明する。まず利用者が図７の入力画面より入力した原材料に関する情報９０１について、物質構成テーブルの情報を用いて各原材料に含まれる物質の量を求めた状態９０２に変換する。
【００４８】
そして装置特性テーブルの情報より、機器情報の計算式に各物質の入力量と動作環境の値を代入することで製品や排出物中に含まれる物質の量を９０３で求める。それにより出力情報９０４が取得できる。
【００４９】
最後に、利用者（届出事業者）１０３の出力装置に対し、図１０に示す画面により算出結果を表示する。利用者名１００１，処理概要１００２は図７で入力した情報を表示し、化学物質の移動量８１６は出力製品１００３，１００４，１００５で表示，処理の過程における化学物質の全排出量８２１は出力化学物質１００６，１００７，１００８で出力する。
【００５０】
以上のように、本発明により、ある事業者における特定化学物質の排出，移動量を算出する際に必要な情報となる、データベースへの登録促進方法について述べた。各処理段階における排出，移動量を合算することで導き出す際に、各処理システムを提供している事業者が積極的にそれらの情報を提示、データベースへの登録を促進させることが可能となるので、ＰＲＴＲにおける各事業者の排出，移動量の申請を円滑に実現することが可能となる。
【図面の簡単な説明】
【００５１】
【図１】化学物質排出量計算システムの構成図。
【図２】化学物質排出量計算システムの処理概要を示す図。
【図３】物質構成テーブルレイアウトを示す図。
【図４】装置特性テーブルレイアウトを示す図。
【図５】物質構成情報登録画面レイアウトを示す図。
【図６】装置特性情報登録画面レイアウトを示す図。
【図７】算出条件入力画面レイアウトを示す図。
【図８】化学物質排出量を求める処理概要を示す図。
【図９】化学物質排出量計算のイメージを示す図。
【図１０】算出結果出力画面レイアウトを示す図。
【符号の説明】
【００５２】
１０１…化学物質排出量計算システム、１０２…情報提供者、１０３…利用者（届出事業者）、２０３…物質構成テーブル、２０４…装置特性テーブル。
【図１】
2005134943.tif 000003
【図２】
2005134943.tif 000004
【図３】
2005134943.tif 000005
【図４】
2005134943.tif 000006
【図５】
2005134943.tif 000007
【図６】
2005134943.tif 000008
【図７】
2005134943.tif 000009
【図８】
2005134943.tif 000010
【図９】
2005134943.tif 000011
【図１０】
2005134943.tif 000012